(57)【要約】【課題】アプリケーションのブラシパターンでも問題なく描画した画像を出力可能な画像形成装置を提供すること。【解決手段】画像形成装置は、周波数変調方式多値ドットを使用するハーフトーンスクリーニングにおいて、ディザ処理の際に、アプリケーションが使用するブラシパターンとディザパターンとの干渉が発生しないことを特徴とする。【選択図】図１
2009004894.tif 000002
【特許請求の範囲】
【請求項１】
周波数変調方式多値ドットを使用するハーフトーンスクリーニング方法において、ディザ処理の際に、アプリケーションが使用するブラシパターンとディザパターンとの干渉が発生しないことを特徴としたスクリーニング方法。
【請求項２】
周波数変調方式多値ドットを使用するハーフトーンスクリーニング方法において、ディザ処理の際に、アプリケーションが使用する細線とディザパターンとの干渉が発生しないことを特徴としたスクリーニング方法。
【請求項３】
オブジェクト検知機能によりイメージデータから、ブラシパターン及び細線の部分である事を検知することを特徴とした請求項１または２記載のスクリーニング方法。
【請求項４】
前記オブジェクト検知機能におけるブラシ検知基準において、模様が固定色の場合であることを特徴とする請求項３記載のスクリーニング方法。
【請求項５】
前記オブジェクト検知機能におけるブラシ検知基準で、模様が左右上下に連続しあっていることであることを特徴とする請求項３または４記載のスクリーニング方法。
【請求項６】
前記オブジェクト検知機能におけるブラシ検知基準が、模様のサイズがディザサイズパターンより小さい場合であることを特徴とする請求項３乃至５のいずれか１項に記載のスクリーニング方法。
【請求項７】
前記オブジェクト検知機能における細線検知基準が、線の太さが通常用いるディザパターンサイズより細いことであることを特徴とする請求項３乃至６のいずれか１項に記載のスクリーニング方法。
【請求項８】
前記オブジェクト検知機能における細線検知基準のサイズにおいて、線の角度を判別し、その角度に応じてディザサイズの縦横どちらか一方を選択することを特徴とする請求項３乃至７のいずれか１項に記載のスクリーニング方法。
【請求項９】
前記オブジェクト検知機能における細線検知基準のサイズにおいて、線の角度を判別し、その角度に応じてディザサイズの縦横の平方根であることを特徴とする請求項３乃至８のいずれか１項に記載のスクリーニング方法。
【請求項１０】
前記オブジェクト検知機能の細線検知基準において、細線が円弧である場合は常に適用することを特徴とする請求項３乃至９のいずれか１項に記載のスクリーニング方法。
【請求項１１】
前記オブジェクト検知機能において、ブラシパターンもしくは細線と判断した場合、印刷要求時の印字モードが１ｂｉｔ（２値）の場合、アプリ上での色設定に関係なく常に１００％（ベタ）として扱いハーフトーンスクリーニング処理することを特徴とする請求項３乃至１０のいずれか１項に記載のスクリーニング方法。
【請求項１２】
前記オブジェクト検知機能において、ブラシパターンもしくは細線と判断した場合、印刷要求時の印字モードが２ｂｉｔもしくは４ｂｉｔ（多値）の場合、用意されているブラシ用ディザパターンを適用しハーフトーンスクリーニング処理することを特徴とする請求項３乃至１０のいずれか１項に記載のスクリーニング方法。
【請求項１３】
請求項１乃至１２のオブジェクト検知機能を備えることを特徴とする画像形成装置。
【発明の詳細な説明】
【技術分野】
【０００１】
本発明は、ブラシ（網掛け）パターンの印刷時に、ドット抜けのない画像を出力可能な画像形成装置に関するものである。
【背景技術】
【０００２】
画像形成装置の描画方法の一環としてハーフトーンスクリーニングディザパターンが用いられている事は既に知られている。
【０００３】
ここで、ディザマトリクスからの閾値信号は、ドット位置変更回路により時間軸での補正を受けマスキング回路に入り、一方、ブラシパターンの多値信号はマスキング回路で２値化され、濃淡出力信号として出力されることで、多値のハーフトーンスクリーニングにおいて、アプリケーションによるブラシ（網掛け）パターンとハーフトーンディザパターンとが干渉するために生じる、意図しない模様やドット抜けを低減する技術が開示されている（例えば、特許文献１参照）。
【特許文献１】特開２００６−１７３６８５号公報
【発明の開示】
【発明が解決しようとする課題】
【０００４】
しかし、今までのハーフトーンスクリーニングディザパターンを用いて画像を出力する画像形成装置では、アプリケーションによるブラシパターンとハーフトーンスクリーニングディザパターンが干渉するために、意図しない模様やドット抜けが発生し、希望する画像の出力が得られないという問題があった。
【０００５】
本発明は、上記事情に鑑み、アプリケーションのブラシパターンでも問題なく描画した画像を出力可能な画像形成装置を提供することを目的とする。
【課題を解決するための手段】
【０００６】
請求項１記載の発明は、周波数変調方式多値ドットを使用するハーフトーンスクリーニング方法において、ディザ処理の際に、アプリケーションが使用するブラシパターンとディザパターンとの干渉が発生しないことを特徴としたスクリーニング方法である。
【０００７】
請求項２記載の発明は、周波数変調方式多値ドットを使用するハーフトーンスクリーニング方法において、ディザ処理の際に、アプリケーションが使用する細線とディザパターンとの干渉が発生しないことを特徴としたスクリーニング方法である。
【０００８】
請求項３記載の発明は、請求項１または２記載のスクリーニング方法において、オブジェクト検知機能によりイメージデータから、ブラシパターン及び細線の部分である事を検知することを特徴とした。
【０００９】
請求項４記載の発明は、請求項３記載のスクリーニング方法において、オブジェクト検知機能におけるブラシ検知基準において、模様が固定色の場合であることを特徴とする請求項３記載のスクリーニング方法。
【００１０】
請求項５記載の発明は、請求項３または４記載のスクリーニング方法において、オブジェクト検知機能におけるブラシ検知基準で、模様が左右上下に連続しあっていることであることを特徴とする。
【００１１】
請求項６記載の発明は、請求項３乃至５のいずれか１項に記載のスクリーニング方法において、オブジェクト検知機能におけるブラシ検知基準が、模様のサイズがディザサイズパターンより小さい場合であることを特徴とする。
【００１２】
請求項７記載の発明は、請求項３乃至６のいずれか１項に記載のスクリーニング方法において、オブジェクト検知機能における細線検知基準が、線の太さが通常用いるディザパターンサイズより細いことであることを特徴とする。
【００１３】
請求項８記載の発明は、請求項３乃至７のいずれか１項に記載のスクリーニング方法において、オブジェクト検知機能における細線検知基準のサイズにおいて、線の角度を判別し、その角度に応じてディザサイズの縦横どちらか一方を選択することを特徴とする。
【００１４】
請求項９記載の発明は、請求項３乃至８のいずれか１項に記載のスクリーニング方法において、オブジェクト検知機能における細線検知基準のサイズにおいて、線の角度を判別し、その角度に応じてディザサイズの縦横の平方根であることを特徴とする。
【００１５】
請求項１０記載の発明は、請求項３乃至９のいずれか１項に記載のスクリーニング方法において、オブジェクト検知機能の細線検知基準において、細線が円弧である場合は常に適用することを特徴とする。
【００１６】
請求項１１記載の発明は、請求項３乃至１０のいずれか１項に記載のスクリーニング方法において、オブジェクト検知機能において、ブラシパターンもしくは細線と判断した場合、印刷要求時の印字モードが１ｂｉｔ（２値）の場合、アプリ上での色設定に関係なく常に１００％（ベタ）として扱いハーフトーンスクリーニング処理することを特徴とする。
【００１７】
請求項１２記載の発明は、請求項３乃至１０のいずれか１項に記載のスクリーニング方法において、オブジェクト検知機能において、ブラシパターンもしくは細線と判断した場合、印刷要求時の印字モードが２ｂｉｔもしくは４ｂｉｔ（多値）の場合、用意されているブラシ用ディザパターンを適用しハーフトーンスクリーニング処理することを特徴とする。
【００１８】
請求項１３記載の発明は、請求項１乃至１２のオブジェクト検知機能を備えることを特徴とする画像形成装置である。
【発明の効果】
【００１９】
本発明によれば、ブラシ（網掛け）パターンの印刷時に、ドット抜けのない画像を出力可能な画像形成装置を提供することができる。
【発明を実施するための最良の形態】
【００２０】
図１は、本発明の実施の形態の画像形成装置に用いられる描画データを説明する機能ブロック図である。
【００２１】
端末のアプリケーションから、画像形成装置のドライバを通してイメージデータに変換されて画像形成装置に送信される例である。
【００２２】
オブジェクト判別回路にて、文字、写真、細線、グラフィックスなどの各種オブジェクトを判別し、それらのオブジェクトに応じたディザを当てる。その後、周波数変調回路を経て多値ｂｉｔによる濃淡印刷を行う。
【００２３】
図２は、通常のハーフトーンスクリーニングディザについて説明する図である。
【００２４】
例では、４ｘ４のサイズのハーフトーンスクリーニングディザがあり、今回は２５％、５０％、１００％のドットパターンがある。
【００２５】
２５％濃度のブラシパターンを印刷する場合、２５％の濃度に応じたディザパターンが選択されるが、ブラシパターン上の描画ドットとディザパターンの描画ドットは一部しか重ならず、描画結果としてドット抜けが生じてしまう。
【００２６】
図３は、本発明のハーフトーンスクリーニングディザについて説明する図である。
【００２７】
例では、１ｘ１のサイズのハーフトーンスクリーニングディザがあり、今回は２５％、５０％、１００％のドットパターンがある。通常のディザとは異なり、多値ｂｉｔによる濃淡を示している。
【００２８】
２５％濃度のブラシパターンを印刷する場合、２５％の濃度に応じたディザパターンが選択されるが、ブラシパターン上の描画ドットとディザパターンの描画ドットは全部重なる形となり、描画結果として全てのドットが印刷される。
【００２９】
図４は、多値ｂｉｔについて説明する図である。
【００３０】
例では、１ｘ１のサイズのハーフトーンスクリーニングディザがあり、今回は２５％、５０％、１００％のドットパターンがある。
【００３１】
１ｂｉｔの様な２値ｂｉｔは１００％ベタのドットを塗られる事になり、２ｂｉｔ、４ｂｉｔなどの多値ｂｉｔは周波数変調により、１ドットにおいてそれぞれ４階調、１６階調の濃度のドットが塗られる。
【００３２】
これらは画像形成装置の周波数変調方式による濃淡調整によるものである。
【００３３】
図５は、本発明のオブジェクト検知及びディザの適用について説明する図である。
【００３４】
例では、濃度５０％の２本の線を置いてある。
【００３５】
また、この時の印字モードに適用するディザのサイズは４×４であるものとする。
【００３６】
上の線は、通常適用されるディザのサイズより太い線であるため、細線とはみなされずに、通常のディザが適用される。
【００３７】
下の線は、通常適用されるディザのサイズより細い線であるため、細線とみなされ、ブラシ＆細線用のディザが適用される。
【００３８】
本実施の形態によれば、ブラシパターンをドット抜けのない画像を出力する事ができる。
【００３９】
また、アプリケーションで、気軽にブラシパターンを使用する事ができるなどの効果も期待できる。
【００４０】
すなわち、周波数変調方式多値ドットを全体的に用いるので、ブラシパターンや細線などの描画がドット抜けを起こすことがなくなる。従って、アプリでの文書作成の折に、ブラシ機能を使用しないようにしなくても良くなる。
【００４１】
なお、上述する実施の形態は、本発明の好適な実施の形態であり、本発明の要旨を逸脱しない範囲内において種々変更実施が可能である。
【図面の簡単な説明】
【００４２】
【図１】本発明の実施の形態の画像形成装置に用いられる描画データを説明する機能ブロック図である。
【図２】通常のハーフトーンスクリーニングディザについて説明する図である。
【図３】本発明のハーフトーンスクリーニングディザについて説明する図である。
【図４】多値ｂｉｔについて説明する図である。
【図５】本発明のオブジェクト検知及びディザの適用について説明する図である。
【図１】
2009004894.tif 000003
【図２】
2009004894.tif 000004
【図３】
2009004894.tif 000005
【図４】
2009004894.tif 000006
【図５】
2009004894.tif 000007